(57)【要約】【課題】カメラ動作用クロック周波数の整数倍が無線特性にノイズとして影響を与えることなく、また低電界レベル受信時に受信不能状態に陥ることを防止することができる携帯電話装置を提供することにある。【解決手段】カメラが動作中に、受信周波数がカメラを駆動するカメラ動作用クロック信号の整数倍の周波数と一致するか否かを検出する手段と、受信周波数の受信電界レベルと予め設定されたしきい値と比較し電界レベルを判定する手段と、受信周波数がカメラ動作用クロック信号の整数倍の周波数と一致し、且つ受信電界レベルがしきい値以下のとき、カメラ動作用クロック信号の周波数を受信周波数を受信したタイミングで変更する手段とを有する。【選択図】      図２
2004179861.tif 000002
【特許請求の範囲】
【請求項１】
カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値とを比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の周波数を前記受信周波数を受信したタイミングで変更するクロック信号周波数変更手段とを有することを特徴とする携帯電話装置。
【請求項２】
前記クロック信号周波数変更手段による前記カメラ動作用クロック信号の周波数変更は、前記カメラが動作中のみ行なわれることを特徴とする請求項１記載の携帯電話装置。
【請求項３】
前記クロック信号周波数変更手段による変更後の前記カメラ動作用クロック信号の周波数は、前記受信周波数の未検出状態時におけるカメラ動作用クロック信号の周波数に対し、低い周波数または高い周波数のいずれかであることを特徴とする請求項１、２記載の携帯電話装置。
【請求項４】
カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値と比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の生成を前記受信周波数を受信したタイミングで停止するクロック信号停止手段とを有することを特徴とする携帯電話装置。
【請求項５】
前記クロック信号停止手段による前記カメラ動作用クロック信号の生成の停止は、前記カメラが動作中のみ行なわれることを特徴とする請求項４記載の携帯電話装置。
【請求項６】
カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値と比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の周波数を前記受信周波数を受信したタイミングで変更するクロック信号周波数変更手段と、前記カメラの定格動作電源電圧を予め設定された電源電圧に変更するよう指示する電源電圧変更指示手段とを有することを特徴とする携帯電話装置。
【請求項７】
電源電圧変更指示手段の指示により変更する前記電源電圧は前記定格動作電源電圧より低く且つ前記カメラが動作継続可能な電源電圧であることを特徴とする請求項６記載の携帯電話装置。
【請求項８】
前記クロック信号周波数変更手段は、入力されるクロック信号を分周して前記カメラ動作用クロック信号を生成する分周比が異なる少なくとも２つの第１および第２の分周手段と、前記第１および第２の分周手段のいずれか一つを選択する切替手段と、前記受信周波数の受信タイミングで生成された分周切替信号を受け前記第１または第２の分周手段の起動．停止を制御すると共に前記切替手段を制御し前記第１または第２の分周手段が生成した分周クロックを前記カメラ動作用クロック信号として前記カメラへ出力される分周切替制御手段とを有することを特徴とする請求項１乃至３、６いずれかに記載の携帯電話装置。
【請求項９】
前記クロック信号停止手段による前記カメラ動作用クロック信号の生成の停止は、前記第１および第２の分周手段への入力クロック信号を切断することにより行うことを特徴とする請求項４、５、８記載の携帯電話装置。
【発明の詳細な説明】
【０００１】
【発明の属する技術分野】
本発明はカメラ搭載の携帯電話装置に関し、特にカメラ動作用クロック信号の周波数変更制御に関する。
【０００２】
【従来の技術】
近年の携帯電話装置では、デジタルカメラの搭載は必須の条件になりつつある。しかし、カメラの実装位置とアンテナの実装位置が近接することによりカメラ動作時において、搬送波の高周波による様々な弊害が発生する。
【０００３】
すなわち、カメラ動作時の動作クロックの高調波による無線特性、特に受信特性に悪影響を及ぼす。
【０００４】
例えば、カメラ動作時のカメラ動作用クロック信号の整数倍の周波数が、受信周波数に該当する無線チャンネルである場合には、カメラ動作用クロック信号の整数倍の周波数が無線特性にノイズとして影響を与え、特に弱い電界レベル受信時には受信特性に対する影響は大きく、受信不能状態になる。
【０００５】
また、搬送波の電磁波ノイズによりカメラから出力される映像信号にノイズが混入し、画像品質が劣化する。
【０００６】
このような課題を解決すべく、移動通信端末装置において、テレビジョン信号電話通信中に、送信チャネル期間および受信チャネル期間を検出し、検出期間中はカメラの撮像信号の出力を停止することにより、無線送受信信号の電磁波ノイズの撮像信号への混入を防ぎ、品質質向上を図る技術が、例えば特開２００１−１８６４８８号公報に開示されている（第１の従来技術）。
【０００７】
また、情報記録装置において、画像または音声の取り込みから記憶までの期間、無線伝送に用いる搬送波の生成を停止することにより、鮮明な画像または音声情報を記録する技術が、例えば特開２００１−１１１８８３号公報に開示されている（第２の従来技術）。
【０００８】
【特許文献１】
特開２００１−１８６４８８号公報（段落番号００４１〜段落番号００４３、図６）
【特許文献２】
特開２００１−１１１８８３号公報（段落番号００２８〜段落番号００３２、図２）
【０００９】
【発明が解決しようとする課題】
上述した第１従来技術は、無線部による無線信号の送信期間または受信期間の一方を検出し、検出した送信期間または受信期間において、画像信号処理部への撮像信号の入力の停止、またはカメラ電源のＯＮ・ＯＦＦ禁止、または表示器のバックライト点灯禁止、表示器への表示信号の供給停止等を行い、カメラまたはバックライトと無線送受信信号とが悪影響を及ぼし合わないようにして品質向上を図るものである。
【００１０】
上述した第２の従来技術は、画像または音声の取り込みから記憶までの期間、無線伝送に用いる搬送波の生成を停止して画像または音声に搬送波によるノイズ混入を防ぎ、画像または音声の品質向上を図るものである。
【００１１】
しかしながら、第１の従来技術、第２の従来技術の何れも、カメラは常時作動しているため、カメラ動作用クロック信号の整数倍の周波数が、受信周波数に該当する無線チャンネルである場合には、カメラ動作用クロック信号の整数倍の周波数が無線特性にノイズとして影響を与えることを回避することはできない。
【００１２】
本発明の目的は、カメラ動作用クロック信号の整数倍の周波数が無線特性にノイズとして影響を与えることなく、また低電界レベル受信時に受信不能状態に陥ることを防止することができる携帯電話装置を提供することにある。
【００１３】
【課題を解決するための手段】
本発明の携帯電話装置は、カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値とを比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の周波数を前記受信周波数を受信したタイミングで変更するクロック信号周波数変更手段とを有することを特徴とする。
【００１４】
また、前記クロック信号周波数変更手段による前記カメラ動作用クロック信号の周波数変更は、前記カメラが動作中のみ行なわれることを特徴とする。
【００１５】
また、前記クロック信号周波数変更手段による変更後の前記カメラ動作用クロック信号の周波数は、前記受信周波数の未検出状態時におけるカメラ動作用クロック信号の周波数に対し、低い周波数または高い周波数のいずれかであることを特徴とする。
【００１６】
また、カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値と比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の生成を前記受信周波数を受信したタイミングで停止するクロック信号停止手段とを有することを特徴とする。
【００１７】
また、前記クロック信号停止手段による前記カメラ動作用クロック信号の生成の停止は、前記カメラが動作中のみ行なわれることを特徴とする。
【００１８】
また、カメラ搭載の携帯電話装置において、受信周波数が前記カメラを駆動するカメラ動作用クロック信号の整数倍の周波数と一致するか否かを検出する受信周波数判定手段と、前記受信周波数の受信電界レベルと予め設定されたしきい値と比較し前記電界レベルを判定する受信電界レベル判定手段と、受信周波数判定手段が前記一致を判定し、且つ前記受信電界レベル判定手段が前記しきい値以下を判定したとき、前記カメラ動作用クロック信号の周波数を前記受信周波数を受信したタイミングで変更するクロック信号周波数変更手段と、前記カメラの定格動作電源電圧を予め設定された電源電圧に変更するよう指示する電源電圧変更指示手段とを有することを特徴とする。
【００１９】
また、電源電圧変更指示手段の指示により変更する前記電源電圧は前記定格動作電源電圧より低く且つ前記カメラが動作継続可能な電源電圧であることを特徴とする。
【００２０】
また、前記クロック信号周波数変更手段は、入力されるクロック信号を分周して前記カメラ動作用クロック信号を生成する分周比が異なる少なくとも２つの第１および第２の分周手段と、前記第１および第２の分周手段のいずれか一つを選択する切替手段と、前記受信周波数の受信タイミングで生成された分周切替信号を受け前記第１または第２の分周手段の起動．停止を制御すると共に前記切替手段を制御し前記第１または第２の分周手段が生成した分周クロックを前記カメラ動作用クロック信号として前記カメラへ出力される分周切替制御手段とを有することを特徴とする。
【００２１】
また、前記クロック信号停止手段による前記カメラ動作用クロック信号の生成の停止は、前記第１および第２の分周手段への入力クロック信号を切断することにより行うことを特徴とする。
【００２２】
【発明の実施の形態】
本発明の携帯電話装置の実施の形態について図面を参照して説明する。
【００２３】
図１は第１および第２の実施の形態の携帯電話装置の主要構成を示すブロック図、図２は第１の実施の形態の携帯電話装置のカメラ制御部の主要構成を示すブロック図、図３は第１の実施の形態の携帯電話装置のカメラ用クロック発生部の主要構成を示すブロック図、図４は第２の携帯電話装置のカメラ制御部の主要構成を示すブロック図、図５は第２の実施の形態の携帯電話装置のカメラ用クロック発生部の主要構成を示すブロック図、図６は第１の実施の形態のカメラ動作中における無線信号の受信周波数の受信タイミングとカメラ用クロック周波数の関係を示すタイミングチャート、図７は第２の実施の形態のカメラ動作中における無線信号の受信周波数の受信タイミングとカメラ用クロック周波数の関係を示すタイミングチャートである。
【００２４】
最初に図１、２、３を参照して第１の実施の形態の構成について説明する。
【００２５】
携帯電話装置は、アンテナ１０１、無線部１０２、無線制御部１０３、カメラ制御部１０４、制御部１０５、表示部１０６、カメラ部１０７、キー操作部１０８、音声部１０９、報知部１１０から構成される。
【００２６】
アンテナ１０１が、無線部１０２に接続され、無線部１０２で受信した信号を無線制御部１０３に出力する。無線制御部１０３では、無線部からの受信電界検出結果及び受信信号の復調処理を行いその結果を、制御部１０５に出力する。
【００２７】
また、無線制御部１０３は、無線部１０２の送受信動作を制御するために制御部１０５からの信号を基に制御タイミング、送信出力データ、送受信周波数の設定などの無線部１０２に必要な信号を生成し、無線部１０２の制御を行う。
【００２８】
無線部制御部１０３で生成された受信タイミングは、カメラ制御部１０４にも出力されカメラ動作の制御のために使用される。
【００２９】
制御部１０５は、無線制御部１０３からの復調信号を処理し、表示部１０６、音声部１０９、報知部１１０を制御して音声通話動作、発呼動作の制御を行う。
【００３０】
また、キー操作部からの信号によって、カメラ制御部１０４、表示制御部１０６、無線制御部１０３に信号を出力しそれぞれの制御を行う。
【００３１】
無線制御部１０３では、無線制御のタイミングを制御部１０５からの要求により生成し無線部１０２の送受信を制御しているが、本発明では、図２に示すように受信タイミング信号（３０１）および受信周波数のチャネルデータ信号（３０２）をカメラ制御部１０４に出力している。
【００３２】
無線制御部１０３では、制御部１０５に対して無線部１０２からの電界検出値を受け制御部１０５で処理できるデータとして、受信電界値データを制御部１０５に出力する。
【００３３】
制御部１０５では、無線制御部１０３からの受信電界値データが予め設定されている電界値以上の値であるかどうかの判定を行い、カメラ制御部１０４に判定結果を図２に示すようにカメラクロック信号（３０３）として出力する。
【００３４】
カメラ制御部１０４は、カメラ部１０７に接続されカメラの動作を制御するために、カメラ動作用クロック信号（３０５）と、キー操作部１０８からの操作情報に基づきカメラＯＮ・ＯＦＦ制御部２０７からカメラ部１０７の起動・停止のための制御信号（３０７）を出力するとともに、カメラ部１０７から随時送られてくる撮影画像データ（３０６）を受信し、所定の画像処理を行ない画像データを制御部１０５に出力する。
【００３５】
制御部１０５では、カメラ制御部１０４からの画像信号を受けＬＣＤに表示するために画像データを表示部１０６に出力し、制御部１０５からの画像データを表示させる。
【００３６】
カメラ制御部１０４が出力するカメラ動作用クロック信号（３０５）は、その周波数の整数倍が受信周波数と一致すると、無線特性等にノイズとして影響を与えることがある。特に受信特性は、電界レベルの低い信号を受信することから影響が大きくなる。
【００３７】
そのためカメラ制御部１０４は、無線制御部１０３から受信周波数のチャネルデータ信号（３０２）を受け、カメラ用動作クロック信号の整数倍の周波数が受信周波数と一致する否かを判定し、一致する場合に、制御部１０５からの受信電界値の判定結果が予め設定されているしきい値以下の判定であるかの確認を行ない、しきい値以下の場合、無線制御部１０３からの受信タイミング信号（３０１）に従って、カメラ動作用クロック信号（３０５）の周波数を変更してカメラ部１０７に出力する構成としている。
【００３８】
次に図１に図２、図３、図６を併せて参照し、第１の実施の形態の動作について説明する。
【００３９】
図２において、カメラ制御部１０４では、制御部１０５からの撮影開始信号を受けカメラＯＮ・ＯＦＦ制御部２０７がカメラＯＮ信号を出力してカメラ部１０７を起動させる共に、カメラ部１０７からの撮影画像データ（３０６）を受け、撮像画像処理部２０６で表示データへの変換や圧縮などの処理を行ない制御部１０５に画像信号として出力する。制御部１０５は画像信号を表示部１０６に出力し表示部（ＬＣＤ）１０６に表示させる。
【００４０】
カメラ制御部１０４には、制御部１０５により予め設定されているしきい値と無線制御部１０５から現在受信している無線信号の受信電界値とを比較した結果である電界値判定結果信号をカメラクロック信号（３０３）としてカメラ用クロック制御部２０２へ入力される。
【００４１】
無線制御部１０３からの受信周波数のチャネルデータ信号（３０２）は、受信周波数チャネル判定部２０２に入力され、受信周波数がカメラ動作用クロック信号（３０５）の整数倍の周波数と一致する場合には、一致信号をカメラ用クロック制御部２０４に出力する。
【００４２】
無線制御部１０３からの受信タイミング信号（３０１）は、受信タイミング判定部２０１に入力され、受信のタイミングに合わせた信号をカメラ用クロック制御部２０４に入力される。
【００４３】
カメラ用クロック制御部２０４では、受信のタイミングでカメラ動作用クロック信号（３０５）の整数倍の周波数が受信周波数と一致し、且つ受信電界値が予め設定されているしきい値以下の場合、クロックを切り替えるための信号をカメラ用クロック発生部２０５へ出力する。このクロックを切り替えるための信号は，受信のタイミングと同期して生成された分周切替信号（３０８）である。
【００４４】
カメラ用クロック発生部２０５では、制御部１０５からのクロック信号（３０４）を分周しカメラ動作用クロック信号（３０５）として出力する。カメラ用クロック発生部２０５でカメラ用クロック制御部２０４から分周切替信号（３０８）が入力されると、制御部１０５から入力されたクロック信号（３０４）の分周数を変更しカメラ動作用クロック信号（３０５）を変更して出力する。
【００４５】
カメラ用クロック発生部２０５では、図３に示すように制御部１０５からのクロック信号（３０４）を分周してカメラ動作用クロック信号（３０５）を生成し、カメラ部１０７に供給している。
【００４６】
カメラ用クロック発生部２０５は、２／４分周器２０５−２および３／４分周器２０５−３を備え、カメラ用クロック制御部２０４から送出される分周切替信号（３０８）に基づき動作する分周切替制御部２０５−１により分周器の動作（起動・停止）を制御し、且つ出力切替スイッチ２０５−４を制御して分周器２０５−２、２０５−３のいずれかを選択することによりカメラ動作用クロック信号（３０５）の出力周波数の変更を可能にしている。
【００４７】
分周切替制御部２０５−１による分周器２０５−２および分周器２０５−３の起動・停止制御は、分周器２０５−２および分周器２０５−３へのクロック信号（３０４）の入力を接断することにより行う。
【００４８】
例えば、分周器２０５−２および分周器２０５−３の入力段に電子スイッチを設け、この電子スイッチを分周切替制御部２０５−１から分周切替信号（３０８）に応答して相反制御することにより実現できる。
【００４９】
したがって、カメラ部が動作中で且つ受信周波数が検出されていないときは、（（分周切替信号がＯＦＦ）のときは、例えば分周器２０５−２を起動状態（電子スイッチＯＮ）、分周器２０５−３を停止状態（電子スイッチＯＦＦ）とし、出力切替スイッチ２０５−４で分周器２０５−２の分周出力を選択してカメラ動作用クロック信号（３０５）としてカメラ部１０７へ送出する。
【００５０】
また、カメラ部が動作中で且つ受信周波数が検出されたきは、（分周切替信号がＯＮ）のときは、例えば分周器２０５−２を停止状態（電子スイッチＯＦＦ）、分周器２０５−３を起動状態（電子スイッチＯＮ）とし、出力切替スイッチ２０５−４で分周器２０５−３の分周出力を選択してカメラ動作用クロック信号（３０５）としてカメラ部１０７へ送出する。
【００５１】
このように制御することにより、例えば制御部１０５からカメラ制御部１０４に１４．４ＭＨｚのクロック信号（３０４）が供給され、２／４分周器２０５−２を使用してカメラ動作用クロック信号（３０５）が生成されているとき、受信したチャネルの受信周波数が１４８３．２ＭＨｚである場合には、カメラ動作用クロック信号（３０５）は、７．２ＭＨｚの２０６倍（整数倍）と一致してしまうことになる。
【００５２】
しかし、受信電界値が予め設定されているしきい値以下の状態でカメラ動作用クロック信号（３０５）の周波数の整数倍が受信周波数と一致すると、受信のタイミング、すなわち受信タイミング信号（３０１）に同期した分周切替信号（３０８）で出力切替スイッチ２０５−４を制御して、２／４分周器２０５−２の出力を３／４分周器２０５−３の出力に切り替えてカメラ動作用クロック信号（３０５）として使用するため、カメラ動作用クロック信号（３０５）の周波数は、１０．８ＭＨｚとなり、受信周波数が１４８３．２ＭＨｚであっても整数倍とならず受信感度に及ぼす影響を防ぐことが可能となる。
【００５３】
例えば、図６に示すように、受信動作が行なわれていない場合には、周波数が７．２ＭＨｚのカメラ動作用クロック信号（３０５）によりカメラ部１０７を動作させ、カメラ部１０７が動作中に受信動作が行なわれる場合には、１０．８ＭＨｚのカメラ動作用クロック信号（３０５）によりカメラ部１０７を動作させる。
【００５４】
次に第２の実施の形態について図面を参照して説明する。
【００５５】
図４は携帯電話装置のカメラ制御部の主要構成を示すブロック図、図５は携帯電話装置のカメラ用クロック発生部の主要構成を示すブロック図、図７はカメラ動作中における無線信号の受信周波数の受信タイミングとカメラ用クロック周波数の関係を示すタイミングチャートである。
【００５６】
最初に第２の実施の形態との構成の相違について説明する。
【００５７】
第２の実施の形態は、図４および図５に示すように、カメラ制御部１０４におけるカメラ用クロック発生部２０８の内部構成が相違し、また電源制御部２０３が付加されている以外は第１の実施の形態と同じである。
【００５８】
カメラ制御部１０４は、図４に示すように、電源制御部２０３が付加されている。電源制御部２０３は、カメラ用クロック制御部の信号によってカメラ部１０７へ供給される電源の電圧を制御する。
【００５９】
カメラ用クロック発生部２０８は、図５に示すように、２／８分周器２０８−２と４／８分周器２０８−３と、分周切替制御部２０５−１と、出力切替スイッチ２０５−４とから構成する。なお、分周切替制御部２０５−１と、出力切替スイッチ２０５−４は、第１の実施の形態と同じである。
【００６０】
次に図１に図４、図５、図７を併せて参照し、第２の実施の形態の動作について説明する。
【００６１】
無線制御部１０３からの受信周波数のチャネルデータ信号（３０２）は、受信周波数チャネル判定部２０２に入力され、カメラ動作用クロック信号（３０５）の整数倍の周波数と一致する場合に、一致信号をカメラ用クロック制御部２０４に出力する。
【００６２】
無線制御部１０３からの受信タイミング信号（３０１）は、受信タイミング判定部２０１に入力され、受信のタイミングに合わせた信号をカメラ用クロック制御部２０４に入力される。
【００６３】
カメラ用クロック制御部２０４では、受信のタイミングでカメラ動作用クロック信号（３０５）の整数倍の周波数が受信周波数と一致し、且つ受信電界値が予め設定されているしきい値以下の場合、クロックを切り替えるための制御信号（分周切替信号）をカメラ用クロック発生部２０５に出力すると共に、電源制御部２０３にも電源制御信号を出力する。電源制御信号は、分周切替信号と同期している。すなわち受信タイミング信号（３０１）と同期していることになる。
【００６４】
電源制御部２０３では、カメラ用クロック制御部２０４から、受信のタイミングでカメラ動作用クロック信号（３０５）の整数倍の周波数が受信周波数と一致し、且つ受信電界値が予め設定されているしきい値以下である場合に出力される電源制御信号を受けて、カメラ部１０７に供給される電源電圧を所定の電圧値に下げてカメラ部１０７に供給する。
【００６５】
電源電圧を下げることによって、カメラ部１０７で発生するカメラ動作用クロックによる妨害を防ぐことが可能となる。
【００６６】
このとき、カメラ用クロック発生部２０５は、カメラ用クロック制御部２０４から受けたクロックを切り替えるための制御信号（分周切替信号）に基づき、電源電圧の低下によりカメラ部１０７が動作を停止することを防ぐためにカメラ動作用クロック信号（３０５）を所定の低い周波数に変更する。
【００６７】
すなわち、カメラ用クロック発生部２０５は、図５に示すように、制御部１０５から受けたクロック信号（３０４）を分周してカメラ動作用クロック信号（３０５）を生成し、カメラ部１０７へ供給している。
【００６８】
カメラ用クロック発生部２０５は、２／８分周器２０８−２および４／８分周器２０８−３を備え、カメラ用クロック制御部２０４から送出される分周切替信号（３０８），に基づき動作する分周切替制御部２０５−１により分周器の動作（起動・停止）を制御し、且つ出力切替スイッチ２０５−４を制御して分周器２０８−２、２０８−３のいずれかを選択することによりカメラ動作用クロック信号（３０５）の出力周波数の変更を可能にしている。
【００６９】
分周切替制御部２０５−１による分周器２０８−２および分周器２０８−３の起動・停止制御は、分周器２０８−２および分周器２０８−３へのクロック信号（３０４）の入力を接断することにより行う。
【００７０】
例えば、分周器２０８−２および分周器２０８−３の入力段に電子スイッチを設け、この電子スイッチを分周切替制御部２０５−１から分周切替信号（３０８）に応答して相反制御することにより実現できる。
【００７１】
したがって、カメラ部１０７が動作中で且つ受信周波数が検出されていないときは、（（分周切替信号がＯＦＦ）のときは、例えば分周器２０８−２を起動状態（電子スイッチＯＮ）、分周器２０８−３を停止状態（電子スイッチＯＦＦ）とし、出力切替スイッチ２０５−４で分周器２０８−２の分周出力を選択してカメラ動作用クロック信号（３０５）としてカメラ部１０７へ送出する。
【００７２】
また、カメラ部が動作中で且つ受信周波数が検出されたきは、（分周切替信号がＯＮ）のときは、例えば分周器２０８−２を停止状態（電子スイッチＯＦＦ）、分周器２０８−３を起動状態（電子スイッチＯＮ）とし、出力切替スイッチ２０５−４で分周器２０８−３の分周出力を選択してカメラ動作用クロック信号（３０５）としてカメラ部１０７へ送出する。
【００７３】
したがって、電源電圧の変更処理とカメラ動作用クロックの切替処理は同期して受信のタイミングに合わせて実行されることになる。
【００７４】
このように制御することにより、制御部１０５からカメラ制御部１０４にクロック信号（３０４）が供給されると、カメラ用クロック制御部２０４が受信のタイミングでカメラ動作用クロック信号（３０５）の整数倍の周波数が受信周波数と比較し一致し、且つ受信電界値が所定のしきい値以下であるとき、受信のタイミングで分周切替信号（３０８）をカメラ用クロック発生部２０８へ出力すると共に電源電圧変更制御信号を電源制御部２０３へ出力し、カメラ用クロック発生部２０８は周波数の低いカメラ動作用クロック信号（３０５）に切り替えて、カメラ部１０８へ出力し、一方、電源制御部２０３はカメラ部１０７の動作電圧を予め設定されている動作電圧より低い電圧に変更するよう電源制御信号（３０９）をカメラ部１０７に出力する。
【００７５】
例えば、制御部１０５からカメラ制御部１０４に入力されるクロック信号（３０４）がを１４．４ＭＨｚとすると、図７に示すように、カメラ動作用クロック信号（３０５）の整数倍の周波数が受信したチャネルの受信周波数に一致する場合、受信動作中はカメラ部１０４の動作電圧（定格電圧）が例えば３．０Ｖから予め設定されている例えば１．５Ｖに変更され、同時にカメラ部１０７の動作が停止しないように、カメラ動作用クロック信号（３０５）の周波数を７．２ＭＨｚから３．６ＭＨｚに落として動作の停止を防いでいる。
【００７６】
前述の第１の実施の形態では、カメラ動作用クロックの周波数の整数倍が受信したチャネルの受信周波数に一致しないように、カメラ動作用クロック信号（３０５）の分周数を制御したが、この第２の実施の形態では、カメラ部１０７の動作電圧（電源電圧）を下げることにより、カメラ動作用クロック信号（３０５）の整数倍の放射レベルが抑制されるので、低下させた電源電圧でカメラ部１０７動作するように、カメラ動作用クロック信号（３０５）の周波数を制御すればよいことになる。
【００７７】
【発明の効果】
以上のように本発明によれば、カメラ動作用クロック信号を受信周波数、受信電界レベル及び受信タイミングにより変更する手段を持つことによって、カメラ動作用クロック信号の整数倍の周波数と受信周波数が一致する場合にカメラ動作用クロック信号の周波数を変更できるため、受信特性の劣化の可能性を排除できる。
【００７８】
また、受信電界レベルが予め設定されているしきい値以下の場合で、且つ受信動作を行う場合にのみ、カメラの動作電圧をカメラが動作を継続し得る電源電圧まで下げると共に、電源電圧の低下に対応して、カメラ動作用クロック信号の周波数を変更するため、カメラ部動作時のクロック周波数による消費電流の変動を抑制することが可能である。
【図面の簡単な説明】
【図１】第１および第２の実施の形態の携帯電話装置の主要構成を示すブロック図である。
【図２】第１の実施の形態の携帯電話装置のカメラ制御部の主要構成を示すブロック図である。
【図３】第１の実施の形態の携帯電話装置のカメラ用クロック発生部の主要構成を示すブロック図である。
【図４】第２の実施の形態の携帯電話装置のカメラ制御部の主要構成を示すブロック図である。
【図５】第２の実施の形態の携帯電話装置のカメラ用クロック発生部の主要構成を示すブロック図である。
【図６】第１の実施の形態のカメラ動作中における無線信号の受信周波数の受信タイミングとカメラ用クロック周波数の関係を示すタイミングチャートである。
【図７】第２の実施の形態のカメラ動作中における無線信号の受信周波数の受信タイミングとカメラ用クロック周波数の関係を示すタイミングチャートである。
【符号の説明】
１０１    アンテナ
１０２    無線部
１０３    無線制御部
１０４    カメラ制御部
１０５    制御部
１０６    表示部
１０７    カメラ部
１０８    キー操作部
１０９    音声部
１１０    報知部
２０１    受信タイミング判定部
２０２    受信周波数チャネル判定部
２０３    電源制御部
２０４    カメラ用クロック制御部
２０５    カメラ用クロック発生部
２０５−１    分周切替制御部
２０５−２    ２／４分周器
２０５−３    ３／４分周器
２０５−４    出力切替スイッチ
２０６    撮像画像処理部
２０７    カメラＯＮ・ＯＦＦ制御部
２０８    カメラ用クロック発生部
２０８−２    ２／８分周器
２０８−３    ４／８分周器
３０１    受信タイミング信号
３０２    チャネルデータ信号
３０３    カメラクロック信号
３０４    クロック信号
３０５    カメラ動作用クロック信号
３０６    撮像画像データ信号
３０７    カメラＯＮ・ＯＦＦ信号
３０８    分周切替信号
３０９    電源制御信号
【図１】
2004179861.tif 000003
【図２】
2004179861.tif 000004
【図３】
2004179861.tif 000005
【図４】
2004179861.tif 000006
【図５】
2004179861.tif 000007
【図６】
2004179861.tif 000008
【図７】
2004179861.tif 000009